(57)【要約】【課題】特定のデータを受信した場合に特定のデータに含まれる特定情報を即時に報知することができる表示装置、送受信装置及び表示システムの提供。【解決手段】表示システム１は送受信装置２及び表示装置３を備える。送受信装置２は、特定のデータとは異なるデータを外部から受信した場合、受信したデータを蓄積し、蓄積したデータを表示装置３に送信する。送受信装置２は、特定のデータを受信した場合、受信したデータを表示装置３に送信する。表示装置３は、特定のデータとは異なるデータを送受信装置２から受信した場合、受信したデータを蓄積し、蓄積したデータに係る映像を表示する。表示装置３は、特定のデータを受信した場合、受信したデータに係る映像を表示する。【選択図】図２
2013235230.tif 000002
【特許請求の範囲】
【請求項１】
データを受信し、受信したデータを蓄積し、蓄積したデータに係る映像を表示する表示装置において、
前記受信したデータが特定のデータであるか否かを判定する判定手段を備え、
該判定手段が特定のデータではないと判定した場合に、前記蓄積したデータに係る映像を表示し、
前記判定手段が特定のデータであると判定した場合に、前記受信したデータに係る映像を表示するように構成してあること
を特徴とする表示装置。
【請求項２】
前記判定手段が特定のデータではないと判定した場合に、前記蓄積したデータに係る音声データを出力し、
前記判定手段が特定のデータであると判定した場合に、前記受信したデータに係る音声データを出力するデータ出力部
を更に備えることを特徴とする請求項１に記載の表示装置。
【請求項３】
前記判定手段が特定のデータではないと判定した場合に、前記蓄積したデータに係る映像の表示と、前記データ出力部が出力する音声データに係る音声の出力との同期をとるために、前記データ出力部による音声データの出力の遅延を行い、
前記判定手段が特定のデータであると判定した場合に、前記データ出力部による音声データの出力の遅延を行わない遅延部と
を備えることを特徴とする請求項３に記載の表示装置。
【請求項４】
データを受信し、受信したデータを蓄積し、蓄積したデータを外部に送信する送受信装置において、
前記受信したデータが特定のデータであるか否かを判定する判定手段を備え、
前記判定手段が特定のデータではないと判定した場合に、前記蓄積したデータを外部に送信し、
該判定手段が特定のデータであると判定した場合に、前記受信したデータを外部に送信するように構成してあること
を特徴とする送受信装置。
【請求項５】
請求項１から請求項３のいずれか１つに記載の表示装置と、
請求項４に記載の送受信装置と
を備え、
前記表示装置は、前記送受信装置が送信したデータを受信するように構成してあること
を特徴とする表示システム。
【発明の詳細な説明】
【技術分野】
【０００１】
本発明は、外部からのデータの受信、受信したデータの蓄積、及び、蓄積したデータに係る映像の表示を行う表示装置、データの受信及び蓄積を同様に行って蓄積したデータを外部に送信する送受信装置、並びに、前記表示装置及び送受信装置を備える表示システムに関する。
【背景技術】
【０００２】
現在、テレビジョン放送に係るデータを受信し、映像の表示に必要なデータを無線で送信する送受信装置、いわゆるチューナ装置と、送受信装置とは別の場所に配置され、送受信装置が送信したデータを受信し、受信したデータを用いて映像を表示する表示装置とを備えるセパレート型の表示システムが実用化されている。
【０００３】
この表示システムでは、送受信装置は、変調によって搬送波にデータを重畳し、データが重畳された搬送波を表示装置に無線で送信する。送受信装置及び表示装置の間に物体、例えば壁がある場合、送受信装置が表示装置に送信した搬送波は、物体を透過した際に搬送波の強度が低下する。更には、送受信装置が表示装置に送信した搬送波は、送受信装置及び表示装置の間の空間で他の搬送波と干渉し、他の搬送波と干渉した搬送波を表示装置は受信する。搬送波の強度の低下と、搬送波の干渉とによって、送受信装置が表示装置に送信したデータの一部に誤り又は欠落が生じる可能性がある。
【０００４】
表示装置は、送受信装置から搬送波に重畳されたデータを受信した場合、受信したデータ中に、誤り又は欠落があるか否かを検出し、誤り又は欠落を検出した場合には、受信したデータを破棄し、データの再送要求を送受信装置に無線で送信する。送受信装置は、表示装置からデータの再送要求を受信した場合、データを再送する。これにより、表示装置は、誤り及び欠落がないデータを用いて低雑音の映像を表示する。
【０００５】
表示装置からデータの再送要求を受信した場合に送受信装置が行う再送の回数が多い程、送受信装置から受信したデータの中で表示装置が破棄せずに取り込んだ単位時間当たりのデータの量、即ち、伝送ビットレートが低下する。
表示装置は、伝送ビットレートが低下した場合、映像を表示するための映像データの欠乏によってアンダーフローを起こし、表示装置が表示する映像が途切れる虞がある。また、送受信装置は、伝送ビットレートが低下した場合、外部から連続して受信するテレビジョン放送に係るデータの過剰供給によってオーバーフローを起こし、表示装置が表示する映像が途切れる虞がある。
【０００６】
そこで、従来の表示システムでは、表示装置及び送受信装置夫々はバッファを有している。表示装置は、送受信装置から受信したデータをバッファに蓄積し、バッファに蓄積されたデータに係る映像を表示する。表示装置は、送受信装置にデータの再送を要求して送受信装置が再送したデータを受信している間、バッファに蓄積されているデータを用いて映像を表示する。これにより、表示装置は途切れがない映像を表示する。
【０００７】
また、送受信装置は、外部から受信したテレビジョン放送に係るデータをバッファに蓄積し、バッファに蓄積されたデータを表示装置に送信する。送受信装置は、表示装置からデータの再送要求を受信して表示装置にデータを再送している間、外部から受信するテレビジョン放送に係るデータはバッファに蓄積されるので、外部から受信したテレビジョン放送に係る全てのデータを表示装置に送信することができる。これにより、表示装置は途切れがない映像を表示する。
【０００８】
特許文献１には、デジタルデータに変換された音声データを外部から受信し、受信した音声データを蓄積し、蓄積したデータに係る音声を出力する音声出力装置が開示されている。
【先行技術文献】
【特許文献】
【０００９】
【特許文献１】特許第４１４６４８９号公報
【発明の概要】
【発明が解決しようとする課題】
【００１０】
自然災害又は重大事件が発生した場合、使用者に報知するために、緊急に報知すべき特定情報を含む特定のデータが放送局から送受信装置に送信され、表示装置は、特定のデータに含まれる特定情報を例えばテロップ形式の映像で表示する。特定情報として、具体的には、地震速報、津波警報、大雨洪水警報、地震が予知されたとき若しくは前震を認識したときに報知される地震警報、又は、緊急ニュース等が挙げられる。
【００１１】
従来の表示システムが備える表示装置及び送受信装置夫々は、前述したように、データを蓄積するため、送受信装置が特定のデータを受信してから、表示装置が特定のデータに含まれる情報を映像で表示するまでの時間が長い。
【００１２】
このため、従来の表示システム、並びに、従来の表示システムが備える表示装置及び送受信装置には、緊急に報知すべき特定情報を含む特定のデータを受信した場合に、特定のデータに含まれる特定情報を即時に報知することができないという問題点がある。
【００１３】
本発明は斯かる事情に鑑みてなされたものであり、その目的とするところは、特定のデータを受信した場合に特定のデータに含まれる特定情報を即時に報知することができる表示装置、送受信装置及び表示システムを提供することにある。
【課題を解決するための手段】
【００１４】
本発明に係る表示装置は、データを受信し、受信したデータを蓄積し、蓄積したデータに係る映像を表示する表示装置において、前記受信したデータが特定のデータであるか否かを判定する判定手段を備え、該判定手段が特定のデータではないと判定した場合に、前記蓄積したデータに係る映像を表示し、前記判定手段が特定のデータであると判定した場合に、前記受信したデータに係る映像を表示するように構成してあることを特徴とする。
【００１５】
本発明にあっては、判定手段は、受信したデータが前述した特定情報を含む特定のデータであるか否かを判定する。
判定手段が特定のデータではないと判定した場合、受信したデータを蓄積し、蓄積したデータに係る映像を表示する。これにより、途切れがない映像が表示される。
【００１６】
また、判定手段が特定のデータであると判定した場合、データを蓄積せずに、受信したデータに係る映像が表示されるので、データの蓄積による遅延がなくなる。
【００１７】
データの蓄積による遅延がなくなった場合、特定のデータを受信してから特定のデータに係る映像が表示されるまでの時間が短い。従って、特定のデータを受信した場合に特定のデータに係る映像が即時に表示され、特定のデータに含まれる特定情報が使用者に即時に報知される。
【００１８】
本発明に係る表示装置は、前記判定手段が特定のデータではないと判定した場合に、前記蓄積したデータに係る音声を出力し、前記判定手段が特定のデータであると判定した場合に、前記受信したデータに係る音声を出力する出力部を更に備えることを特徴とする。
【００１９】
本発明にあっては、出力部は、判定手段が特定のデータではないと判定した場合、蓄積したデータに係る音声を出力する。これにより、出力部は、途切れがない音声を出力する。
【００２０】
また、出力部は、判定手段が特定のデータであると判定した場合、受信したデータに係る音声を出力する。このため、特定のデータが受信された後、素早く、特定のデータに係る映像の表示、及び、特定のデータに係る音声の出力が行われるため、特定のデータに含まれる特定情報が即時に、かつ、確実に使用者に報知される。
【００２１】
本発明に係る表示装置は、前記判定手段が特定のデータではないと判定した場合に、前記蓄積したデータに係る音声データを出力し、前記判定手段が特定のデータであると判定した場合に、前記受信したデータに係る音声データを出力するデータ出力部を更に備えることを特徴とする。
【００２２】
本発明にあっては、データ出力部は、判定手段が特定のデータではないと判定した場合、蓄積したデータに係る音声データを、外部のスピーカが接続される出力端子、又は、内部のスピーカ等に出力する。これにより、データ出力部が出力した音声データに係る音声が外部又は内部のスピーカ等から途切れがない状態で出力される。
【００２３】
また、データ出力部は、判定手段が特定のデータであると判定した場合、受信したデータに係る音声データを、外部のスピーカが接続される出力端子、又は、内部のスピーカ等に出力する。これにより、特定のデータが受信された後、素早く、特定のデータに係る映像の表示、及び、特定のデータに係る音声が外部又は内部のスピーカ等から出力されるため、特定のデータに含まれる特定情報が即時に、かつ、確実に使用者に報知される。
【００２４】
本発明に係る表示装置は、前記判定手段が特定のデータではないと判定した場合に、前記蓄積したデータに係る映像の表示と、前記データ出力部が出力する音声データに係る音声の出力との同期をとるために、前記データ出力部による音声データの出力の遅延を行い、前記判定手段が特定のデータであると判定した場合に、前記データ出力部による音声データの出力の遅延を行わない遅延部とを備えることを特徴とする。
【００２５】
本発明にあっては、遅延部は、判定手段が特定のデータではないと判定した場合に、データ出力部による音声データの出力の遅延を行い、蓄積したデータに係る映像の表示と、データ出力部が出力する音声データに係る音声の出力とが同期される。このため、表示される映像と、出力される音声とが一致するので、使用者は、違和感なく、表示している映像に対応する音声を聞くことが可能となる。
【００２６】
また、判定手段が特定のデータではないと判定した場合に、前記データ出力部による音声データの出力の遅延を行わない。このため、特定のデータを受信した場合、データの蓄積、及び、音声データの出力の遅延が行われることなく、データ出力部は、受信した特定のデータに係る音声データを出力する。このため、データを受信した後、より素早く、特定のデータに係る音声が出力される。
【００２７】
本発明に係る送受信装置は、データを受信し、受信したデータを蓄積し、蓄積したデータを外部に送信する送受信装置において、前記受信したデータが特定のデータであるか否かを判定する判定手段を備え、前記判定手段が特定のデータではないと判定した場合に、前記蓄積したデータを外部に送信し、該判定手段が特定のデータであると判定した場合に、前記受信したデータを外部に送信するように構成してあることを特徴とする。
【００２８】
本発明にあっては、判定手段は、受信したデータが前述した特定情報を含む特定のデータであるか否かを判定する。
判定手段が特定のデータではないと判定した場合、受信したデータを蓄積し、蓄積したデータを外部に送信する。これにより、例えば、蓄積したデータを受信し、受信したデータに係る映像を表示する表示装置は、途切れがない映像を表示する。
【００２９】
判定手段が特定のデータであると判定した場合、データを蓄積せずに、受信したデータを外部に送信するので、データの蓄積による遅延がなくなる。
【００３０】
データの蓄積による遅延がなくなった場合、特定のデータを受信してから特定のデータを送信するまでの時間が短い。従って、特定のデータを受信した後、受信した特定のデータが即時に送信される。これにより、例えば、特定のデータを受信して特定のデータに係る映像を表示する表示装置が設置されている場合、表示装置に送信する特定のデータが受信されてから表示装置が特定のデータに係る映像を表示するまでの時間が短く、特定のデータに含まれる特定情報が即時に使用者に報知される。
【００３１】
本発明に係る表示システムは、前述の表示装置と、前述の送受信装置とを備え、前記表示装置は、前記送受信装置が送信したデータを受信するように構成してあることを特徴とする。
【００３２】
本発明にあっては、前述の表示装置及び送受信装置を備え、表示装置は送受信装置が送信したデータを受信する。
送受信装置が受信したデータが特定のデータではない場合、表示装置及び送受信装置夫々は、データを蓄積するため、表示装置は途切れがない映像を表示する。
【００３３】
送受信装置が受信したデータが特定のデータである場合、表示装置及び送受信装置夫々は、データを蓄積せず、送受信装置は、受信したデータを外部に送信し、表示装置は、受信したデータに係る映像を表示する。このため、データの蓄積による遅延がなくなるので、送受信装置が特定のデータを受信してから表示装置が特定のデータに係る映像を表示するまでの時間が短い。従って、送受信装置が受信したデータが特定のデータである場合、表示装置は特定のデータに係る映像を即時に表示し、特定のデータに含まれる特定情報が使用者に即時に報知される。
【００３４】
本発明に係る表示システムは、前記送受信装置は、テレビジョン放送に係るデータを受信するように構成してあることを特徴とする。
【００３５】
本発明にあっては、送受信装置はテレビジョン放送に係るデータを受信するため、表示装置にはテレビジョン放送に係る映像が表示される。
【００３６】
本発明に係る映像音声システムは、前記判定手段が特定のデータではないと判定した場合に、前記蓄積したデータに係る音声データを送信し、前記判定手段が特定のデータであると判定した場合に、前記受信したデータに係る音声データを送信する送信部を有する前述の表示装置と、前記送信部から音声データを受信し、前記送信部から受信した音声データが前記蓄積したデータに係る音声データである場合に、該送信部から受信した音声データに所定の処理を施し、所定の処理を施した音声データに係る音声を出力し、前記送信部から受信した音声データが、前記表示装置によって受信されたデータに係る音声データである場合に、該送信部から受信した音声データに係る音声を出力する音声出力装置とを備えることを特徴とする。
【００３７】
本発明にあっては、表示装置の送信部は、判定手段が特定のデータではないと判定した場合、蓄積したデータに係る音声データを音声出力装置に送信する。音声出力装置は、送信部から受信した音声データが、蓄積したデータに係る音声データである場合、送信部から受信した音声データに、所定の処理、例えば、２チャンネルのステレオ音声に係る音声データを仮想５．１チャンネルのサラウンド音声に係る音声データに変換する処理を施し、所定の処理を施した音声データに係る音声を出力する。従って、途切れがない高品質の音声が音声出力装置から出力される。
【００３８】
また、表示装置の送信部は、判定手段が特定のデータであると判定した場合、受信したデータに係る音声データを音声出力装置に送信する。音声出力装置は、送信部から受信した音声データが、表示装置によって受信されたデータに係る音声データである場合、送信部から受信した音声データに処理を施すことなく、音声データに係る音声をそのまま出力する。従って、表示装置が特定のデータを受信した場合に、特定のデータに係る音声が素早く音声出力装置から出力される。
【００３９】
本発明に係る映像音声システムは、前述の送受信装置を備え、前記表示装置は、前記送受信装置が送信したデータを受信するように構成してあることを特徴とする。
【００４０】
本発明にあっては、前述の送受信装置を備え、表示装置は、送受信装置が送信したデータを受信する。
送受信装置が受信したデータが特定のデータではない場合、表示装置及び送受信装置夫々は、データを蓄積するため、表示装置は途切れがない映像を表示し、表示装置の送信部は、蓄積したデータに係る音声データを音声出力装置に送信する。音声出力装置は、送信部から受信した音声データに所定の処理を施し、所定の処理を施した音声データに係る音声を出力するため、音声出力装置は、途切れがない高品質の音声を出力する。
【００４１】
また、送受信装置が受信したデータが特定のデータである場合、表示装置及び送受信装置夫々は、データを蓄積せず、送受信装置は、受信したデータを表示装置に送信し、表示装置は、送受信装置から受信したデータに係る映像を表示する。このため、データの蓄積による遅延がなくなるので、送受信装置が特定のデータを受信してから表示装置が特定のデータに係る映像を表示するまでの時間が短い。
【００４２】
また、表示装置の送信部は、受信したデータに係る音声データを音声出力装置に送信し、音声出力装置は送信部から受信した音声データに処理を施すことなく、該音声データに係る音声を出力する。
従って、送受信装置が受信したデータが特定のデータである場合、表示装置は特定のデータに係る映像を即時に表示し、音声出力装置は特定のデータに係る音声を即時に出力する。これにより、特定のデータに含まれる特定情報が使用者に即時に報知される。
【００４３】
本発明に係る映像音声システムは、前記送受信装置は、テレビジョン放送に係るデータを受信するように構成してあることを特徴とする。
【００４４】
本発明にあっては、送受信装置はテレビジョン放送に係るデータを受信するため、表示装置にはテレビジョン放送に係る映像が表示され、音声出力装置からテレビジョン放送に係る音声が出力される。
【発明の効果】
【００４５】
本発明によれば、特定のデータを受信した場合、受信したデータを蓄積しないので、特定のデータに含まれる特定情報を即時に報知することができる。
【図面の簡単な説明】
【００４６】
【図１】実施の形態１における表示システムの外観を示す模式図である。
【図２】表示システムの要部構成を示すブロック図である。
【図３】特定のデータを受信した場合に表示装置が表示する映像の一例を示す模式図である。
【図４】送受信装置の制御部が実行する動作の手順を示すフローチャートである。
【図５】表示装置の制御部が実行する動作の手順を示すフローチャートである。
【図６】実施の形態２における表示システムの要部構成を示すブロック図である。
【図７】表示装置の制御部が実行する動作の手順を示すフローチャートである。
【図８】実施の形態３における映像音声システムの要部構成を示すブロック図である。
【図９】表示装置の制御部が実行する動作の手順を示すフローチャートである。
【発明を実施するための形態】
【００４７】
以下、本発明をその実施の形態を示す図面に基づいて詳述する。
（実施の形態１）
図１は、実施の形態１における表示システムの外観を示す模式図である。この表示システム１は送受信装置２及び表示装置３を備える。
【００４８】
送受信装置２は、例えば、表示装置３が設置された部屋の片隅に配置される。送受信装置２は、外部からテレビジョン放送に係るデジタルのデータを受信し、受信したデータを復調し、復調したデータが特定情報を含む特定のデータであるか否かを判定する。特定情報として、地震速報、津波警報、大雨洪水警報、地震が予知されたとき若しくは前震を認識したときに報知される地震警報、又は、緊急ニュース等が挙げられる。
【００４９】
送受信装置２は、復調したデータが特定のデータでないと判定した場合、復調したデータを蓄積し、蓄積したデータを表示装置３に送信する。送受信装置２は、復調したデータが特定のデータであると判定した場合、復調したデータを表示装置３に送信する。
【００５０】
表示装置３は、送受信装置２が送信したデータを受信し、受信したデータが特定のデータであるか否かを判定する。
表示装置３は、受信したデータが特定のデータでないと判定した場合、受信したデータを蓄積し、蓄積したデータに係る映像の表示と、蓄積したデータに係る音声の出力とを行う。
【００５１】
表示装置３は、受信したデータが特定のデータであると判定した場合、受信データを蓄積せずに、受信したデータに係る映像の表示と、受信したデータに係る音声の出力とを行う。
【００５２】
図２は表示システム１の要部構成を示すブロック図である。
送受信装置２は、チューナ部２０、復調部２１、バッファ２２、通信部２３、受光部２４及び制御部２５を有する。
【００５３】
チューナ部２０はアンテナＡ１に接続されており、アンテナＡ１を介して、テレビジョン放送に係るデジタルのデータを連続して受信する。テレビジョン放送に係るデータは、ＯＦＤＭ（Orthogonal Frequency Division Multiplexing）方式の変調により多数の搬送波夫々に重畳されているデータによって構成されている。
【００５４】
チューナ部２０は、多数の搬送波夫々に重畳しているデータの中で、制御部２５によって設定されている周波数帯域内の搬送波夫々に重畳しているデータを受信する。チューナ部２０は、受信したデータを復調部２１に出力する。
【００５５】
復調部２１は、チューナ部２０によって入力されたデータをＴＳ（Transport Stream）のデータに復調し、復調したデータを制御部２５に出力する。
【００５６】
復調部２１は、復調したデータをバッファ２２及び通信部２３のいずれに出力すべきかを示す指示を制御部２５から受け付ける。復調部２１は、復調したデータをバッファ２２に出力するように指示された場合には、復調したデータをバッファ２２に出力し、復調したデータを通信部２３に出力するように指示された場合には、復調したデータを通信部２３に出力する。
【００５７】
バッファ２２は、復調部２１によって経時的に入力されるデータを蓄積し、バッファ２２に蓄積されているデータは通信部２３によって読み出される。バッファ２２は、蓄積しているデータの消去を指示する消去信号を制御部２５から受け付けた場合、蓄積しているデータを消去する。
【００５８】
通信部２３は、復調部２１からデータが入力された場合、入力されたデータを複数のデータに分け、分けた複数のデータ夫々を、ＯＦＤＭ方式の変調によって、例えば５ＧＨｚ帯に属する複数の搬送波に各別に重畳する。通信部２３は、複数の搬送波夫々に重畳されたデータを、通信部２３に接続してあるアンテナＡ２から表示装置３に無線で送信する。
【００５９】
通信部２３は、復調部２１からデータが入力されていない場合、バッファ２２に蓄積されているデータから所定量のデータを読み出し、読み出したデータを複数のデータに分け、分けたデータ夫々を、ＯＦＤＭ方式の変調によって、例えば５ＧＨｚ帯に属する複数の搬送波に各別に重畳する。通信部２３は、複数の搬送波夫々に重畳されたデータを、通信部２３に接続してあるアンテナＡ２から表示装置３に無線で送信する。
【００６０】
通信部２３は、表示装置３からアンテナＡ２を介してデータの再送要求を受信する。通信部２３は、データの再送要求を受信した場合、受信した再送要求に対応するデータをアンテナＡ２から表示装置３に再び無線で送信する。
【００６１】
通信部２３は、ＩＥＥＥ（Institute of Electrical and Electronics Engineers）８０２．１１ｎ、又は、ＩＥＥＥ８０２．１１ａ等の規格に従って、アンテナＡ２を介して表示装置３と無線でデータの送受信を行う。また、通信部２３は、表示装置３とＴＣＰ／ＩＰ（Transmission Control Protocol/Internet Protocol）に従ってデータの送受信を行う。
【００６２】
受光部２４は、チューナ部２０がアンテナＡ１から受信すべき放送チャネルを示す赤外線信号をリモートコントローラ４から受光し、リモートコントローラ４から赤外線信号を受光した場合、受光した赤外線信号が示す放送チャネルを制御部２５に通知する。
【００６３】
制御部２５は、受光部２４から放送チャネルの通知を受け付けた場合、チューナ部２０に設定されている周波数帯域を、放送チャネルに対応する周波数帯域に変更する。これにより、チューナ部２０は、受光部２４が受け付けた赤外線信号が示す放送チャネルに対応したデータを受信する。
【００６４】
制御部２５は、復調部２１からデータが入力された場合、入力されたデータに基づいて、復調部２１が復調したデータが特定のデータであるか否かを判定する。制御部２５は、例えば、復調部２１から入力されたデータに、自身が特定のデータであるか否かを示す付加情報が含まれている場合には、復調部２１から入力されたデータに含まれる付加情報を確認することによって、復調部２１が復調したデータが特定のデータであるか否かを判定する。
【００６５】
制御部２５は、復調部２１から入力されたデータが特定のデータではないと判定した場合、復調したデータをバッファ２２に出力するように復調部２１に指示する。
【００６６】
制御部２５は、復調部２１から入力されたデータが特定のデータであると判定した場合、復調したデータを通信部２３に出力するように復調部２１に指示し、消去信号をバッファ２２に出力する。
制御部２５は、復調部２１から入力されたデータが特定のデータであるか否か、即ち、チューナ部２０が受信したデータが特定のデータであるか否かを判定する判定手段として機能する。
【００６７】
表示装置３は、通信部３０、バッファ３１、分離部３２、映像デコーダ３３、表示部３４、音声デコーダ３５、Ｄ／Ａ（Digital／Analog）変換部３６、スピーカ３７及び制御部３８を有する。
【００６８】
通信部３０は、アンテナＡ３に接続されており、アンテナＡ３を介して、通信部２３が無線で送信したデータを受信し、受信したデータ中の誤り又は欠落を検出する。通信部３０は、通信部２３から受信したデータ中に誤り又は欠落を検出した場合、ＴＣＰ／ＩＰに従って、通信部２３から受信したデータを破棄し、通信部２３にデータの再送要求をアンテナＡ３から表示装置３の通信部２３に送信する。通信部３０は、通信部２３から受信したデータ中に誤り又は欠落を検出しなかった場合、通信部２３から受信したデータを制御部３８に出力する。
【００６９】
通信部３０は、通信部２３から受信したデータをバッファ３１及び分離部３２のいずれに出力すべきかを示す指示を制御部３８から受け付ける。通信部３０は、受信したデータをバッファ３１に出力するように指示された場合には、受信したデータをバッファ３１に出力し、受信したデータを分離部３２に出力するように指示された場合には、受信したデータを分離部３２に出力する。
【００７０】
バッファ３１は、通信部３０によって経時的に入力されるデータを蓄積し、バッファ３１に蓄積されているデータは分離部３２によって読み出される。バッファ３１は、蓄積しているデータの消去を指示する消去信号を制御部３８から受け付けた場合、蓄積しているデータを消去する。
【００７１】
分離部３２は、通信部３０からデータが入力された場合、入力されたデータから、映像の表示に用いられる映像データと、音声の出力に用いられる音声データとを分離する。分離部３２は、分離した映像データを映像デコーダ３３に、分離した音声データを音声デコーダ３５に出力する。
【００７２】
分離部３２は、通信部３０からデータが入力されていない場合、バッファ３１に蓄積されているデータから所定量のデータを読み出し、読み出したデータから映像データと、音声データとを分離する。分離部３２は、分離した映像データを映像デコーダ３３に、分離した音声データを音声デコーダ３５に出力する。
【００７３】
映像デコーダ３３は、分離部３２から入力された映像データを復号化し、復号化した映像データを表示部３４に出力する。
表示部３４は、映像デコーダ３３から入力された映像データに係る映像を表示する。
【００７４】
音声デコーダ３５は、分離部３２から入力された音声データを復号化し、復号化した音声データをＤ／Ａ変換部３６に出力する。
Ｄ／Ａ変換部３６は、音声デコーダ３５から入力されたデジタルの音声データをアナログの音声データに変換し、変換した音声データをスピーカ３７に出力する。Ｄ／Ａ変換部３６はデータ出力部として機能する。
スピーカ３７は、Ｄ／Ａ変換部３６から入力された音声データに係る音声を表示装置３の外部に出力する。
【００７５】
制御部３８は、通信部３０からデータが入力された場合、入力されたデータに基づいて、通信部３０が受信したデータが特定のデータであるか否かを判定する。制御部３８は、例えば、通信部３０から入力されたデータに、自身が特定のデータであるか否かを示す付加情報が含まれている場合には、通信部３０から入力されたデータに含まれる付加情報を確認することによって、通信部３０が受信したデータが特定のデータであるか否かを判定する。
【００７６】
制御部３８は、通信部３０から入力されたデータが特定のデータではないと判定した場合、受信したデータをバッファ３１に出力するように通信部３０に指示する。
【００７７】
これにより、通信部３０から入力されたデータが特定のデータではない場合、表示部３４は、バッファ３１に蓄積されているデータから分離部３２が分離した映像データに、映像デコーダ３３が前述の処理を施した映像データに係る映像を表示する。
【００７８】
更に、通信部３０から入力されたデータが特定のデータではない場合、スピーカ３７は、バッファ３１に蓄積されているデータから分離部３２が分離した音声データに、音声デコーダ３５及びＤ／Ａ変換部３６夫々が前述の処理を施した音声データを出力する。このように、制御部３８が通信部３０によって受信されたデータが特定のデータではないと判定した場合、Ｄ／Ａ変換部３６はバッファ３１に蓄積したデータに係る音声データをスピーカ３７に出力し、スピーカ３７は該音声データに係る音声を出力する。
【００７９】
制御部３８は、通信部３０から入力されたデータが特定のデータであると判定した場合、受信したデータを分離部３２に出力するように通信部３０に指示し、消去信号をバッファ３１に出力する。
【００８０】
これにより、通信部３０から入力されたデータが特定のデータである場合、表示部３４は、通信部３０が受信したデータから分離部３２によって分離された映像データに、映像デコーダ３３が前述の処理を施した映像データに係る映像を表示する。
【００８１】
図３は、特定のデータを受信した場合に表示装置３が表示する映像の一例を示す模式図である。図３に示す映像５は、通信部３０が特定情報として地震速報を含む特定のデータを受信した場合に表示部３４が表示する映像である。図３に示すように、映像５の上部に「地震速報  東京で強い揺れ」と記載された地震速報が表示されている。
【００８２】
更に、通信部３０から入力されたデータが特定のデータである場合、スピーカ３７は、通信部３０が受信したデータから分離部３２によって分離された音声データに、音声デコーダ３５及びＤ／Ａ変換部３６夫々が前述の処理を施した音声データを出力する。このように、制御部３８が通信部３０によって受信されたデータが特定のデータではないと判定した場合、Ｄ／Ａ変換部３６は通信部３０が受信したデータに係る音声データをスピーカ３７に出力し、スピーカ３７は該音声データに係る音声を出力する。
制御部３８は、通信部３０が受信したデータが特定のデータであるか否かを判定する判定手段として機能し、スピーカ３７は、出力部として機能する。
【００８３】
図４は、送受信装置２の制御部２５が実行する動作の手順を示すフローチャートである。まず、制御部２５は、受光部２４から放送チャネルの通知を受け付けたか否かを判定する（ステップＳ１）。制御部２５は、放送チャネルの通知を受け付けたと判定した場合（ステップＳ１：ＹＥＳ）、チューナ部２０が受信する周波数帯域を、受け付けた通知が示す放送チャネルに対応する周波数帯域に変更する（ステップＳ２）。
【００８４】
制御部２５は、放送チャネルの通知を受け付けていないと判定した場合（ステップＳ１：ＮＯ）、又は、ステップＳ２を実行した後、復調部２１から入力されるデータに基づいて、復調部２１が復調したデータが特定のデータであるか否かを判定する（ステップＳ３）。
【００８５】
制御部２５は、復調部２１が復調したデータが特定のデータではないと判定した場合（ステップＳ３：ＮＯ）、復調部２１に指示して、復調したデータをバッファ２２に出力させる（ステップＳ４）。
【００８６】
制御部２５は、復調部２１が復調したデータが特定のデータであると判定した場合（ステップＳ３：ＹＥＳ）、復調部２１に指示して、復調したデータを通信部２３に出力させ（ステップＳ５）、バッファ２２に消去信号を出力する（ステップＳ６）。
制御部２５は、ステップＳ４又はＳ６を実行した後、動作を終了し、再びステップＳ１を実行する。
【００８７】
以上のように、送受信装置２では、復調部２１が復調したデータが特定のデータではない、即ち、チューナ部２０が受信したデータが特定のデータではない場合、復調部２１が復調したデータがバッファ２２に蓄積され、バッファ２２に蓄積されたデータから所定量のデータが通信部２３によって読み出され、読み出されたデータが表示装置３に無線で送信される。
【００８８】
送受信装置２の通信部２３から表示装置３の通信部３０への再送の回数が増加した場合、通信部２３から受信したデータの中で、通信部３０が破棄せずに取り込んだ単位時間当たりのデータ量、即ち、伝送ビットレートが低下する。しかしながら、チューナ部２０が連続して受信するデータはバッファ２２によって蓄積されるため、伝送ビットレートが低下した場合であっても、通信部２３は、オーバーフローを起こすことなく、テレビジョン放送に係る全てのデータを通信部３０に送信することができる。これにより、通信部２３が送信したデータを用いて映像の表示及び音声の出力を行う表示装置３は、途切れがない映像の表示と、途切れがない音声の出力とを行う。
【００８９】
また、送受信装置２では、復調部２１が復調したデータが特定のデータである、即ち、チューナ部２０が受信したデータが特定のデータである場合、バッファ２２によるデータの蓄積が行われず、復調部２１が復調したデータが通信部２３によって送信される。
【００９０】
このため、データの蓄積による遅延がなくなるので、チューナ部２０が特定のデータを受信してから通信部２３が特定のデータを送信するまでの時間が短い。従って、表示装置３の表示部３４は特定のデータに係る映像を即時に表示し、表示装置３のスピーカ３７は特定のデータに係る音声を即時に出力する。これにより、特定のデータに含まれる特定情報を即時に使用者に報知することができる。
【００９１】
図５は、表示装置３の制御部３８が実行する動作の手順を示すフローチャートである。まず、制御部３８は、通信部３０から入力されるデータに基づいて、通信部３０が受信したデータが特定のデータであるか否かを判定する（ステップＳ１１）。
【００９２】
制御部３８は、通信部３０が受信したデータが特定のデータではないと判定した場合（ステップＳ１１：ＮＯ）、通信部３０に指示して、受信したデータをバッファ３１に出力させる（ステップＳ１２）。
【００９３】
制御部３８は、通信部３０が受信したデータが特定のデータであると判定した場合（ステップＳ１１：ＹＥＳ）、通信部３０に指示して、受信したデータを分離部３２に出力させ（ステップＳ１３）、バッファ３１に消去信号を出力する（ステップＳ１４）。
制御部３８は、ステップＳ１２又はＳ１４を実行した後、動作を終了し、再びステップＳ１１を実行する。
【００９４】
以上のように、表示装置３では、通信部３０が受信したデータが特定のデータではない場合、通信部３０が受信したデータがバッファ３１に蓄積され、バッファ３１に蓄積されたデータは分離部３２によって読み出されて映像データ及び音声データが分離される。
【００９５】
送受信装置２の通信部２３から表示装置３の通信部３０への再送の回数が増加して伝送ビットレートが低下した場合であっても、バッファ３１にデータが蓄積されているため、分離部３２は、アンダーフローを起こすことなく、テレビジョン放送に係るデータから映像データ及び音声データを連続して分離することができる。これにより、表示部３４は、映像デコーダ３３が復号化した映像データに係る映像を、途切れがなく表示することができ、スピーカ３７は、Ｄ／Ａ変換部３６が変換したアナログの音声データに係る音声を、途切れがなく出力することができる。
【００９６】
また、表示装置３では、通信部３０が受信したデータが特定のデータである場合、バッファ３１によるデータの蓄積が行われず、通信部３０が受信したデータが分離部３２に出力される。
【００９７】
このため、データの蓄積による遅延がなくなるので、通信部３０が特定のデータを受信してから表示部３４が特定のデータに係る映像を表示するまでの時間と、通信部３０が特定のデータを受信してからスピーカ３７が特定のデータに係る音声を出力するまでの時間とが短い。
【００９８】
これにより、特定のデータに係る映像が表示部３４によって即時に表示され、特定のデータに係る音声がスピーカ３７によって即時に出力されるので、表示装置３は特定のデータに含まれる特定情報を即時に、かつ、確実に使用者に報知することができる。
【００９９】
また、送受信装置２及び表示装置３を備える表示システム１では、送受信装置２が受信したデータが特定のデータではない場合、送受信装置２及び表示装置３夫々では、バッファ２２及び３１夫々によるデータの蓄積が行われる。このため、送受信装置２が受信したデータが特定のデータではない場合、表示装置３の表示部３４は途切れがない映像を表示し、表示装置３のスピーカ３７は途切れがない音声を出力する。
【０１００】
送受信装置２が受信したデータが特定のデータである場合、送受信装置２及び表示装置３夫々では、バッファ２２及び３１夫々によるデータの蓄積が行われず、データの蓄積による遅延がなくなる。
【０１０１】
このため、送受信装置２では、チューナ部２０が特定のデータを受信した後、通信部２３は特定のデータを即時に表示装置３の通信部３０に送信する。更に、表示装置３では、通信部３０が通信部２３によって送信された特定のデータを受信した後、表示部３４は特定のデータに係る映像を即時に表示し、スピーカ３７は特定のデータに係る音声を即時に出力する。
これにより、送受信装置２が受信したデータが特定のデータである場合、特定のデータに含まれる特定情報が使用者に即時に報知される。
【０１０２】
また、表示装置３の通信部３０は、送受信装置２の通信部２３から誤り又は欠落があるデータを受信した場合にデータの再送要求を通信部２３に送信し、通信部２３は通信部３０にデータを再送する。これにより、表示部３４は、誤り及び欠落がないデータから分離された映像データに係る映像を雑音がない状態で表示することができる。同様に、スピーカ３７は、誤り及び欠落がないデータから分離された音声データに係る音声を雑音がない状態で出力することができる。
【０１０３】
なお、表示装置３では、通信部３０が受信したデータが特定のデータである場合、スピーカ３７による音声の出力を行わずに表示部３４による映像の表示のみを行ってもよい。この場合、分離部３２は、通信部３０から入力されたデータから映像データのみを分離し、分離した映像データを映像デコーダ３３に出力する。
【０１０４】
（実施の形態２）
図６は、実施の形態２における表示システムの要部構成を示すブロック図である。この表示システム４は、実施の形態１における表示システム１において、表示装置３の代わりに表示装置５を備えた表示システムである。表示装置５は、実施の形態１における表示装置３と比較して、映像の表示と、音声の出力とを同期させる機能を有する点で異なる。
【０１０５】
以下では、表示装置５において、表示装置３と異なる点について説明する。実施の形態１と共通する実施の形態２の構成には同様の符号を付してその詳細な説明を省略する。
【０１０６】
表示装置５は、表示装置３が備える通信部３０、バッファ３１、分離部３２、映像デコーダ３３、表示部３４、音声デコーダ３５、Ｄ／Ａ変換部３６、スピーカ３７及び制御部３８に加えて、音声遅延部５０と、外部のスピーカ６に接続される出力端子５１とを備える。
【０１０７】
実施の形態２における制御部３８は、実施の形態１と同様に、通信部３０からデータが入力された場合、入力されたデータに基づいて、通信部３０が受信したデータが特定のデータであるか否かを判定する。制御部３８は、通信部３０が受信したデータが特定のデータではないと判定した場合、通信部３０が受信したデータをバッファ３１に出力するように通信部３０に指示する。制御部３８は、通信部３０が受信したデータが特定のデータであると判定した場合に、通信部３０が受信したデータを分離部３２に出力するように通信部３０に指示し、消去信号をバッファ３１に出力する。
【０１０８】
制御部３８は、このように、実施の形態１における制御部３８と同様の動作を行うと共に、表示部３４による映像の表示と、スピーカ３７、又は、後述のスピーカ６による音声の出力との同期をとることを指示する同期指示、及び、該同期の省略を指示する同期省略指示を音声デコーダ３５に出力する。制御部３８は、通信部３０が受信したデータが特定のデータではないと判定した場合に、音声デコーダ３５に同期指示を出力し、通信部３０が受信したデータが特定のデータである場合に、音声デコーダ３５に同期省略指示を出力する。
【０１０９】
実施の形態２における音声デコーダ３５は、実施の形態１と同様に分離部３２から入力された音声データを復号化する。音声デコーダ３５は、更に、制御部３８から同期指示及び同期省略指示を受け付ける。音声デコーダ３５は、制御部３８から同期指示を受け付けた場合、復号化した音声データを音声遅延部５０に出力し、制御部３８から同期省略指示を受け付けた場合、復号化した音声データをＤ／Ａ変換部３６に出力する。
【０１１０】
音声遅延部５０は、音声デコーダ３５から、復号化した音声データを入力された場合、入力された音声データをＤ／Ａ変換部３６に出力する。音声遅延部５０は、映像デコーダ３３に接続しており、映像デコーダ３３から表示部３４への映像データの出力と、Ｄ／Ａ変換部３６への音声データの出力とが同期するように、Ｄ／Ａ変換部３６への音声データの出力を遅延する。このようにして、音声遅延部５０は、表示部３４による映像の表示と、スピーカ３７又は６による音声の出力との同期をとるために、Ｄ／Ａ変換部３６による音声データの出力を遅延する。
【０１１１】
Ｄ／Ａ変換部３６は、音声デコーダ３５又は音声遅延部５０から入力されたデジタルの音声データをアナログの音声データに変換し、変換した音声データをスピーカ３７又は出力端子５１に出力する。
スピーカ３７と、出力端子５１に接続されるスピーカ６とは、Ｄ／Ａ変換部３６から入力された音声データに係る音声を出力する。
【０１１２】
図７は、表示装置５の制御部３８が実行する動作の手順を示すフローチャートである。表示装置５の制御部３８が実行するステップＳ２１，Ｓ２２，Ｓ２４，Ｓ２５夫々は、実施の形態１における表示装置３の制御部３８が実行するステップＳ１１，Ｓ１２，Ｓ１３，Ｓ１４と同様であるため、説明を省略する。
【０１１３】
表示装置５の制御部３８は、ステップＳ２２で通信部３０に指示して、通信部３０が受信したデータをバッファ３１に出力させた後、音声デコーダ３５に同期指示を出力する（ステップＳ２３）。
【０１１４】
制御部３８は、ステップＳ２５でバッファ３１に消去信号を出力した後、音声デコーダ３５に同期省略信号を出力する（ステップＳ２６）。
制御部３８は、ステップＳ２３又はＳ２６を実行した後、動作を終了し、再びステップＳ２１を実行する。
【０１１５】
以上のように構成された表示装置５では、制御部３８は、実施の形態１と同様に、通信部３０が受信したデータが特定のデータであるか否かを判定する判定手段として機能する。表示装置５では、制御部３８が、通信部３０によって受信されたデータが特定のデータではないと判定した場合、バッファ３１に蓄積したデータに係る音声データが音声デコーダ３５又は音声遅延部５０からＤ／Ａ変換部３６に入力される。Ｄ／Ａ変換部３６は、バッファ３１に蓄積したデータに係る音声データをスピーカ３７又は６に出力する。これにより、バッファ３１に蓄積したデータに係る音声が、内部のスピーカ３７又は外部のスピーカ６から途切れがない状態で出力される。
【０１１６】
また、制御部３８が、通信部３０によって受信されたデータが特定のデータであると判定した場合、バッファ３１によるデータの蓄積が行われることなく、通信部３０が受信したデータに係る音声データが音声デコーダ３５又は音声遅延部５０からＤ／Ａ変換部３６に入力される。Ｄ／Ａ変換部は、通信部３０が受信したデータに係る音声データをスピーカ３７又は６に出力する。これにより、通信部３０が特定のデータを受信した後、素早く、特定のデータに係る音声が出力されるため、特定のデータに含まれる特定情報が即時に、かつ、確実に使用者に報知される。
このように、Ｄ／Ａ変換部３６はデータ出力部として機能する。
【０１１７】
また、制御部３８は、前述したように、通信部３０が受信したデータが特定のデータではないと判定した場合に同期指示を音声デコーダ３５に出力し、通信部３０が受信したデータが特定のデータであると判定した場合に同期省略指示を音声デコーダ３５に出力する。
【０１１８】
従って、音声遅延部５０は、制御部３８が通信部３０によって受信されるデータが特定のデータではないと判定した場合、バッファ３１に蓄積したデータに係る映像の表示と、Ｄ／Ａ変換部３６が出力する音声データに係る音声の出力との同期をとるために、Ｄ／Ａ変換部３６による音声データの出力の遅延を行う。これにより、表示部３４で表示される映像と、スピーカ３７又は６で出力される音声とが一致するので、使用者は、違和感なく、表示部３４に表示している映像に対応する音声を聞くことができる。
【０１１９】
更に、音声遅延部５０は、制御部３８が通信部３０によって受信されるデータが特定のデータであると判定した場合に、音声デコーダ３５から音声データが入力されないため、Ｄ／Ａ変換部３６による音声データの出力の遅延を行わない。このとき、音声デコーダ３５からＤ／Ａ変換部３６に音声データが出力される。従って、通信部３０が特定のデータを受信した後、より素早く、特定のデータに係る音声がスピーカ３７又は６によって出力される。
このように、音声遅延部５０は遅延部として機能する。
【０１２０】
実施の形態２における送受信装置２は、実施の形態１における送受信装置２と同じ構成であるため、実施の形態１における送受信装置２と同様の効果を奏する。
【０１２１】
また、実施の形態２における表示装置５は、通信部３０が受信したデータが特定のデータではない場合、バッファ２２によるデータの蓄積が行われ、通信部３０が受信したデータが特定のデータである場合、バッファ２２によるデータの蓄積が行われないので、実施の形態１における表示装置３と同様の特徴を有する。このため、表示装置５は、表示装置３と同様の効果も奏する。
【０１２２】
また、送受信装置２及び表示装置５を備える表示システム４では、送受信装置２が受信したデータが特定のデータではない場合、送受信装置２のバッファ２２、及び、表示装置３のバッファ３１夫々はデータを蓄積する。更に、表示装置５は、音声遅延部５０が蓄積されたデータに係る音声データの出力を遅延することによって、表示部３４による映像の表示と、スピーカ３７又は６による音声の出力とを同期する。
【０１２３】
このため、送受信装置２が受信したデータが特定のデータではない場合、表示装置５の表示部３４は途切れがない映像を表示し、表示装置５のスピーカ３７又は６は、表示部３４に表示してある映像に対応する途切れがない音声を出力するので、使用者は、違和感なく、表示している映像に対応する音声を聞くことができる。
【０１２４】
送受信装置２が受信したデータが特定のデータである場合、送受信装置２及び表示装置５夫々では、バッファ２２及び３１夫々によるデータの蓄積が行われず、表示装置５では、音声遅延部５０は、Ｄ／Ａ変換部３６による音声データの出力の遅延を行わない。
【０１２５】
このため、送受信装置２では、チューナ部２０が特定のデータを受信した後、通信部２３は特定のデータを即時に表示装置３の通信部３０に送信する。更に、表示装置３では、通信部３０が通信部２３によって送信された特定のデータを受信した後、表示部３４は特定のデータに係る映像を即時に表示し、スピーカ３７又は６は特定のデータに係る音声を即時に出力する。
これにより、送受信装置２が受信したデータが特定のデータである場合、特定のデータに含まれる特定情報が使用者に即時に報知される。
【０１２６】
実施の形態１と同様に、スピーカ３７は出力部として機能し、送受信装置２の制御部２５はチューナ部２０が受信したデータが特定のデータであるか否かを判定する判定手段として機能する。
【０１２７】
なお、表示装置５では、通信部３０が受信したデータが特定のデータである場合、スピーカ３７又は６による音声の出力を行わずに表示部３４による映像の表示のみが行ってもよい。この場合、分離部３２は、通信部３０から入力されたデータから映像データのみを分離し、分離した映像データを映像デコーダ３３に出力する。
【０１２８】
（実施の形態３）
図８は、実施の形態３における映像音声システムの要部構成を示すブロック図である。この映像音声システム７は、実施の形態１における送受信装置２、表示装置８、及び、音声出力装置９を備える。映像音声システム７は、実施の形態１における表示システム１と比較して、表示装置８が音声データを音声出力装置９に送信するように構成してあり、音声出力装置９が、表示装置８から音声データを受信した音声データに所定の処理を施し、所定の処理を施した音声データに係る音声を出力するように構成してある点で異なる。
【０１２９】
以下では、表示装置８において表示装置３と異なる点と、音声出力装置９とについて説明する。実施の形態１と共通する実施の形態３の構成には同様の符号を付してその詳細な説明を省略する。
【０１３０】
表示装置８は、表示装置３が備える通信部３０、バッファ３１、分離部３２、映像デコーダ３３、表示部３４、音声デコーダ３５、Ｄ／Ａ変換部３６及びスピーカ３７に加えて、送信部８０を備える。
【０１３１】
実施の形態３における制御部３８は、実施の形態１と同様に、通信部３０からデータが入力された場合、入力されたデータに基づいて、通信部３０が受信したデータが特定のデータであるか否かを判定する。制御部３８は、通信部３０が受信したデータが特定のデータではないと判定した場合、通信部３０が受信したデータをバッファ３１に出力するように通信部３０に指示する。制御部３８は、通信部３０が受信したデータが特定のデータであると判定した場合に、通信部３０が受信したデータを分離部３２に出力するように通信部３０に指示し、消去信号をバッファ３１に出力する。
【０１３２】
制御部３８は、以上のように、実施の形態１における制御部３８と同様の動作を行うと共に、音声デコーダ３５が復号化した音声データに所定の処理を施すことを指示する音声処理指示、及び、該所定の処理の停止を指示する処理停止指示を送信部８０に出力する。
【０１３３】
実施の形態３における音声デコーダ３５は、実施の形態１と同様に分離部３２から入力された音声データを復号化し、復号化した音声データをＤ／Ａ変換部３６に出力する。実施の形態３における音声デコーダ３５は、復号化した音声データを更に送信部８０に出力する。
【０１３４】
送信部８０は、制御部３８から音声処理指示、及び、処理停止指示のいずれか一方を受け付け、音声デコーダ３５から復号化した音声データが入力される。送信部８０は、制御部３８から受け付けた音声処理指示、又は、処理停止指示と共に、音声デコーダ３５から入力された音声データを音声出力装置９に有線又は無線で送信する。
【０１３５】
音声出力装置９は、受信部９０、音声処理部９１、Ｄ／Ａ変換部９２及びスピーカ９３を備える。
受信部９０は、表示装置８の送信部８０が送信した音声処理指示、又は、処理停止指示と、送信部８０が送信した音声データとを受信する。受信部９０は、音声処理指示を送信部８０から受信した場合、受信した音声データを音声処理部９１に出力し、処理停止指示を送信部８０から受信した場合、受信した音声データをＤ／Ａ変換部９２に出力する。
【０１３６】
音声処理部９１は、受信部９０から入力された音声データに所定の処理、例えば、２チャンネルのステレオ音声に係る音声データを、仮想５．１チャンネルのサラウンド音声に係る音声データに変換する処理を施し、処理を施した音声データをＤ／Ａ変換部９２に出力する。
【０１３７】
Ｄ／Ａ変換部９２は、受信部９０又は音声処理部９１から音声データが入力された場合、入力されたデジタルの音声データをアナログの音声データに変換し、変換した音声データをスピーカ９３に出力する。
スピーカ９３は、Ｄ／Ａ変換部９２から入力された音声データに係る音声を音声出力装置９の外部に出力する。
【０１３８】
図９は、表示装置８の制御部３８が実行する動作の手順を示すフローチャートである。表示装置８の制御部３８が実行するステップＳ３１，Ｓ３２，Ｓ３４，Ｓ３５夫々は、実施の形態１における表示装置３の制御部３８が実行するステップＳ１１，Ｓ１２，Ｓ１３，Ｓ１４と同様であるため、説明を省略する。
【０１３９】
表示装置８の制御部３８は、ステップＳ３２で通信部に指示して、通信部３０が受信したデータをバッファ３１に出力させた後、送信部８０に音声処理指示を出力する（ステップＳ３３）。
【０１４０】
制御部３８は、ステップＳ３５でバッファ３１に消去信号を出力した後、送信部８０に処理停止指示を出力する（ステップＳ３６）。
制御部３８は、ステップＳ３３又はＳ３６を実行した後、動作を終了し、再びステップＳ３１を実行する。
【０１４１】
以上のように構成された映像音声システム７では、制御部３８は、実施の形態１と同様に、通信部３０が受信したデータが特定のデータであるか否かを判定する判定手段として機能する。映像音声システム７では、制御部３８は、通信部３０が受信したデータが特定のデータではないと判定した場合、通信部３０に、受信したデータをバッファ３１に出力するように指示すると共に、音声処理指示を送信部８０に出力する。
【０１４２】
また、映像音声システム７では、制御部３８は、通信部３０が受信したデータが特定のデータであると判定した場合、通信部３０に、受信したデータを分離部３２に出力するように指示すると共に、処理停止指示を送信部８０に出力する。
【０１４３】
従って、送信部８０は、制御部３８が通信部３０によって受信されたデータが特定のデータではないと判定した場合に、バッファ３１に蓄積したデータに係る音声データを、音声処理指示と共に、音声出力装置９の受信部９０に送信する。また、送信部８０は、制御部３８が通信部３０によって受信されたデータが特定のデータではないと判定した場合に、通信部３０が受信したデータに係る音声データを、処理停止指示と共に、音声出力装置９の受信部９０に送信する。
【０１４４】
受信部９０は、送信部８０から音声処理指示を受信した場合、即ち、送信部８０から受信した音声データがバッファ３１に蓄積したデータに係る音声データである場合に、送信部８０から受信した音声データを音声処理部９１に出力する。その後、音声処理部９１は、受信部９０が送信部８０から受信した音声データに所定の処理を施し、Ｄ／Ａ変換部９２は、所定の処理が施されたデジタルの音声データをアナログの音声データに変換し、スピーカ９３は、所定の処理を施した音声データに係る音声を出力する。
これにより、途切れがない高品質の音声をスピーカ９３から出力される。
【０１４５】
受信部９０は、送信部８０から処理停止指示を受信した場合、即ち、送信部８０から受信した音声データが、表示装置８の通信部３０によって受信されたデータに係る音声データである場合に、送信部８０から受信した音声データをＤ／Ａ変換部９２に出力する。その後、音声処理部９１によって所定の処理が施されることなく、送信部８０から受信したデジタルの音声データがＤ／Ａ変換部９２によってアナログの音声データに変換され、スピーカ９３は、送信部８０から受信部９０が受信した音声データに係る音声を出力する。
これにより、表示装置８の通信部３０が特定のデータを受信した場合に、特定のデータに係る音声が素早く音声出力装置９のスピーカ９３から出力される。
【０１４６】
映像音声システム７では、表示装置８の通信部３０は、送受信装置２が送信したデータを受信する。実施の形態３における送受信装置２は、実施の形態１における送受信装置２と同様に構成されているため、実施の形態１における送受信装置２と同様の効果を奏する。
【０１４７】
また、実施の形態２における表示装置８は、表示部３４を備え、通信部３０が受信したデータが特定のデータではない場合、バッファ２２によるデータの蓄積が行われ、通信部３０が受信したデータが特定のデータである場合、バッファ２２によるデータの蓄積が行われないので、実施の形態１における表示装置３と同様の特徴を有する。このため、表示装置８は、表示装置３と同様の効果も奏する。
【０１４８】
送受信装置２が受信したデータが特定のデータではない場合、送受信装置２及び表示装置８夫々は、データを蓄積し、表示装置８は、蓄積したデータに係る音声データを音声出力装置９に送信し、音声出力装置９は、表示装置８から受信した音声データの所定の処理を施し、処理を施した音声を出力する。これにより、表示装置８は、途切れがない映像を表示し、音声出力装置９は、途切れがない高品質の音声を出力する。
【０１４９】
また、送受信装置２が受信したデータが特定のデータである場合、送受信装置２及び表示装置８夫々は、データの蓄積を行わず、表示装置８は、送受信装置２から受信したデータに係る音声データを音声出力装置９に送信し、音声出力装置９は、表示装置８から受信した音声データに所定の処理を施すことなく、該音声データに係る音声を出力する。これにより、送受信装置２が特定のデータを受信してから表示装置８が特定のデータに係る映像を表示するまでの時間、及び、送受信装置２が特定のデータを受信してから音声出力装置９が特定のデータに係る音声を出力するまでの時間が短い。従って、表示装置８は特定のデータに係る映像を即時に表示し、音声出力装置９は特定のデータに係る音声を即時に出力し、特定のデータに含まれる特定情報が使用者に即時に報知される。
【０１５０】
実施の形態１と同様に、スピーカ３７は出力部として機能し、送受信装置２の制御部２５はチューナ部２０が受信したデータが特定のデータであるか否かを判定する判定手段として機能する。
【０１５１】
なお、実施の形態３においては、映像音声システム７は、送受信装置２を備えていなくてもよい。この場合においても、通信部３０が外部から特定のデータが受信したとき、表示装置８はデータを蓄積せずに、音声出力装置９は音声データに所定の処理を施さないので、通信部３０が特定のデータを受信してから、特定のデータに係る映像が素早く表示され、特定のデータに係る音声が素早く出力される。
【０１５２】
また、送信部８０を、音声出力装置９の受信部９０との接続を検出し、受信部９０との接続を検出した場合に、音声デコーダ３５に、復号化した音声データのＤ／Ａ変換部３６への送信を停止させるように構成してもよい。これにより、表示装置８が音声出力装置９に接続してある場合、音声出力装置９のみから音声が出力される。
【０１５３】
また、実施の形態１，２，３夫々において、送受信装置２のチューナ部２０がアンテナＡ１を介して受信するデータは、テレビジョン放送に係るデータに限定されない。送受信装置２のチューナ部２０は、例えば、通信ネットワークから無線で配信されるデータを受信してもよい。
【０１５４】
また、送受信装置２が通信ネットワークに有線で接続され、送受信装置２のチューナ部２０は、有線でデータを受信してもよい。この場合であっても、送受信装置２の通信部２３と、表示装置３，５，８のいずれか１つの通信部３０との間では無線によって通信が行われるため、送受信装置２が通信ネットワークに有線で接続された表示システム１，４及び映像音声システム７夫々は前述した効果と同様の効果を奏する。
【０１５５】
具体的に述べると、表示システム１では、チューナ部２０が特定のデータを受信しなかった場合には、表示部３４は途切れがない映像を表示し、スピーカ３７は途切れがない音声を出力する。更に、チューナ部２０が特定のデータを受信した後、特定のデータに係る映像が表示部３４によって即時に表示され、特定のデータに係る音声がスピーカ３７によって即時に出力される。これにより、特定のデータに含まれる特定情報を即時に使用者に報知することができる。
【０１５６】
表示システム４では、チューナ部２０が特定のデータを受信しなかった場合には、表示部３４は途切れがない映像を表示し、スピーカ３７又は６は途切れがない音声を出力する。更に、チューナ部２０が特定のデータを受信した後、特定のデータに係る映像が表示部３４に即時に表示され、特定のデータに係る音声がスピーカ３７又は６によって即時に出力される。これにより、特定のデータに含まれる特定情報を即時に使用者に報知することができる。
【０１５７】
映像音声システム７では、チューナ部２０が特定のデータを受信しなかった場合には、表示部３４は途切れがない映像を表示し、音声出力装置９のスピーカ９３は途切れがない高品質の音声を出力する。更に、チューナ部２０が特定のデータを受信した後、特定のデータに係る映像が表示部３４に即時に表示され、特定のデータに係る音声が音声出力装置９のスピーカ３７によって即時に出力される。これにより、特定のデータに含まれる特定情報を即時に使用者に報知することができる。
【０１５８】
また、送受信装置２の制御部２５は、復調部２１から入力されたデータが特定のデータであると判定した場合に消去信号をバッファ２２に出力せずに、バッファ２２が蓄積したデータを消去しないことにしてもよい。また、表示装置３，５，８夫々の制御部３８は、通信部３０が受信したデータが特定のデータであると判定した場合に、消去信号をバッファ３１に出力せずに、バッファ３１が蓄積したデータを消去しないことにしてもよい。
【０１５９】
また、特定のデータは前述の実施の形態１，２，３において説明したデータに限定されない。特定のデータは、特定の映像又は音声に係るデータ、例えばスポーツの映像又は音声に係るデータであってもよい。この場合、チューナ部２０が、例えばスポーツの映像又は音声に係るデータを受信したとき、即時にスポーツの映像の表示又は音声の出力が行われる。チューナ部２０又は通信部３０が受信したデータが特定の映像又は音声に係るデータであるか否かをテレビジョン放送に係るデータに含まれる番組情報から判断してもよい。
【符号の説明】
【０１６０】
１，４  表示システム
２  送受信装置
２０  チューナ部
２２，３１  バッファ
２３，３０  通信部
２５，３８  制御部
３，５，８  表示装置
３４  表示部
３６  Ｄ／Ａ変換部
３７，９３  スピーカ
５０  音声遅延部
【図１】
2013235230.tif 000003
【図２】
2013235230.tif 000004
【図３】
2013235230.tif 000005
【図４】
2013235230.tif 000006
【図５】
2013235230.tif 000007
【図６】
2013235230.tif 000008
【図７】
2013235230.tif 000009
【図８】
2013235230.tif 000010
【図９】
2013235230.tif 000011